(57)【要約】【課題】選択できる番組数が膨大になり、番組表で番組を選んだり、チャンネルを順次変えて好みの番組を探すといった従来の手段では好みの番組を容易に探ことができるコンテンツ選択支援システムを提供することを目的とする。【解決手段】視聴者の視聴履歴と番組パラメータへに対する重要度の高さから、個々の番組に嗜好点を付与し、その点数が所定の閾値以上のものを視聴者の嗜好に合致した番組として提示する。【選択図】　　　　図１
2004104408.tif 000002
【特許請求の範囲】
【請求項１】
コンテンツに関する情報に基づいて、前記コンテンツに対する視聴者の嗜好度を評価する評価手段と、
前記評価に基づいて前記コンテンツが前記視聴者の嗜好に合致したか否かを判断する嗜好判定手段を有するコンテンツ選択支援装置。
【請求項２】
前記嗜好採点手段は、視聴履歴から前記コンテンツに関する情報の種類毎に情報の構成要素の出現頻度と出現頻度の順位に対してランキングポイントを対応させるランキングを作成するランキング作成部と、
視聴者の前記情報の種類に対する重要度を求める個人評価基準部とを有し、
評価対象となるコンテンツに関する情報の種類毎の構成要素を前記ランキングと比較することで当該コンテンツに対する情報の種類毎にランキングポイントを求め、前記ランキングポイントと前記視聴者の情報の種類に対する重要度を、情報の種類毎に乗算し、その結果同士を加算することで、嗜好度を求めるコンテンツ嗜好度計算部を有する請求項１に記載のコンテンツ選択支援装置。
【請求項３】
前記嗜好判定手段は、前記嗜好度と所定の閾値との比較によって視聴者の嗜好に合致したか否かを判断する条件付データ転送部と、
前記閾値を保持する閾値保持部とを有する請求項２記載のコンテンツ選択支援装置。
【請求項４】
前記個人評価基準部は、前記情報の種類の中から、２つを取り出して作るすべての順列に対して、対比の結果の点数を付与し、前記情報の種類の中のある情報の種類に対する視聴者の重要度を、当該情報の種類以外の情報の種類との対比の結果付与された前記点数の幾何平均を用いる請求項２または請求項３記載のコンテンツ選択支援装置。
【請求項５】
前記コンテンツ選択支援装置を搭載したコンテンツ受信機。
【請求項６】
コンテンツの情報と共に前記嗜好度を表示するコンテンツ受信機。
【発明の詳細な説明】
【０００１】
【発明の属する技術分野】
本発明は、デジタル放送やブロードバンド放送などで視聴可能なチャンネル若しくはコンテンツが多数ある場合に、視聴者のコンテンツ選択または選局動作を支援するシステム、その方法、およびそれらを組み込んだ装置に関する。
【０００２】
【従来の技術】
従来、視聴者は、新聞の番組欄から視聴を希望する番組を選択し、放送受信機であるテレビのチャンネルを選択した番組を放送している局に合わせることで放送番組を視聴していた。これに対して、近年、一部のアナログテレビ放送受信機や、デジタルテレビ放送受信機では、放送の一部として提供されている電子番組表と呼ばれるＥｌｅｃｔｒｉｃ　Ｐｒｏｇｒａｍ　Ｇｕｉｄｅ（以後「ＥＰＧ」と称す）を利用することにより、視聴者は新聞の番組欄を見る必要なく希望の番組を選択、予約、或いは録画できるようになった（特許文献１参照）。これは、放送受信機による視聴者の選局行動の支援ということができる。
【０００３】
また、デジタル放送の普及に伴って、視聴できる番組の数が数百チャンネルにもなると、上記のＥＰＧだけでは、視聴者の選局行動を支援することができない。これに対して、ジャンル別検索や、番組の検索によって、視聴者の選局を支援しようとする技術が提案されている（特許文献２、３参照）。
しかしながら、これらの発明は、膨大な視聴可能番組の中から視聴者が未だ見たことのない番組の選局を効果的に補助するに十分な手段を提供するものではない。
【０００４】
そこで、視聴者の典型的な嗜好傾向に基づいて番組検索の支援を行なおうとする発明がされている（特許文献４、５参照）。
これらの発明を総合した概略は、以下のようであると説明できる。図１９にデジタル放送受信機（以下「放送受信機」と言う。）のハード的な基本的な構成を示す。放送受信機１９００は、少なくとも、アンテナ１９１２、チューナ１９１４、ＴＳデコーダ１９１６、ＡＶデコーダ１９１８、表示制御器１９２０、表示機１９２２、入力器１９２６、記録装置１９２８、および制御器１９５０を含む。
【０００５】
アンテナ１９１２で受信した放送波をチューナ１９１４で受信し、ＴＳデコーダ１９１６で、コンテンツの実体である映像音声データとコンテンツに関する付加情報である番組情報Ｉｐに分離する。ＡＶデコーダ１９１８は映像音声データを映像信号および音声信号にデコードする。なお、コンテンツの受信は放送波を通じた場合だけでなく、インターネットを介して取得してもよい。
なお、分離された番組情報Ｉｐは、制御器１９５０を介して記録装置１９２８に蓄積される。これらの番組情報Ｉｐは制御器１９５０で加工された後に、放送受信機１９００によって上記の映像信号等と合成され、そして表示器に表示される。
【０００６】
図２０に、放送受信機１９００に組み込まれている、番組選局支援に係わる部分について、ソフトウェアを主体とした構成を示す。すなわち、放送受信機１９００の制御器１９５０の内部には、放送される番組の情報を管理する番組表管理部Ａｐｔがソフトウェアで構成されている。番組表管理部Ａｐｔは、番組抽出部２０１０、番組情報取得部２０２０、番組表作成部２０３０を含む。番組情報取得部２０２０は、ＴＳデコーダ１９１６から番組情報Ｉｐを取得する。番組情報取得部２０２０は、取得した番組情報Ｉｐを記録装置１９２８に出力する。
【０００７】
記録装置１９２８は、番組情報蓄積部２０４２と抽出番組蓄積部２０４４を含む。番組情報蓄積部２０４２は、番組情報取得部２０２０から入力される番組情報Ｉｐを蓄積する。抽出番組蓄積部２０４４は、番組情報蓄積部２０４２に蓄積されている複数の番組情報Ｉｐから、番組抽出部２０１０によって抽出された番組情報Ｉｐを蓄積する。
【０００８】
番組表作成部２０３０は、番組情報蓄積部２０４２および抽出番組蓄積部２０４４から番組情報Ｉｐを読み出す。さらに、番組表作成部２０３０は、読み出した同番組情報Ｉｐを並べ替えたり、組み合わせたりして加工し、番組表を作成する。そして、番組表作成部２０３０は、作成した番組表を表示制御器１９２０を介して表示器１９２２に表示させる。番組抽出部２０１０は、ジャンル検索部２０１２とキーワード検索部２０１４を含む。ジャンル検索部２０１２およびキーワード検索部２０１４は、番組のジャンルＷｇやキーワードＷｋで、記録装置１９２８の番組情報蓄積部２０４２に記録された番組情報Ｉｐを検索し、抽出する。
【０００９】
以下に、番組表管理部Ａｐｔの番組情報の抽出および番組表作成について簡単に説明する。番組情報取得部２０２０は、ＴＳデコーダ１９１６から番組情報Ｉｐを取得し、記録装置１９２８の番組情報蓄積部２０４２に記録させる。番組抽出部２０１０は、ジャンル検索部２０１２やキーワード検索部２０１４を用いて、番組情報蓄積部２０４２に記録された番組情報Ｉｐから所望の番組に関するデータを抽出して、抽出番組蓄積部２０４４に記録させる。
【００１０】
番組表作成部２０３０は番組情報蓄積部２０４２や抽出番組蓄積部２０４４に記録されたデータから番組表を作成し、表示制御器１９２０を介して表示器１９２２に表示させる。また、番組表作成部２０３０は、番組抽出部２０１０から、直接に抽出された番組を受け取る場合もある。
これら番組情報取得部２０２０、番組抽出部２０１０、番組表作成部２０３０は主としてプログラムによってソフトウェアとして構成される場合が多いが、ハードウェアで構成してもよいことは言うまでもない。
【００１１】
図２１に、上述の番組表管理部Ａｐｔによる番組抽出の概念を模式的に示す。同図において、符号２１１０は、放送される番組情報Ｉｐの集合を表す。同図において、番組情報の集合２１１０には、縦６横６の合計３６のブロックを含み、これらブロックのそれぞれが１つの番組情報Ｉｐを表しているとする。つまり、番組情報の集合２２１０は、放送チャンネルを意味する縦軸と、放送時間を意味する横軸の２次元の並びで表される。
【００１２】
個々の番組情報（ブロック）には、キーワードＷｋやジャンルＷｇ等の番組の内容に関する情報が含まれている。番組抽出部２０１０は、そのようなジャンルＷｇやキーワードＷｋに基づいて、個々の番組が検索の条件に合致しているか否かを判定し、合致したものを抽出した番組情報とする。
符号２１２０は、番組抽出部２０１０により番組が抽出された後の番組情報の集合を示す。同図において、斜線が附されているブロックが、番組抽出部２０１０によって抽出された番組を表している。なお、同図では再び２次元の並びに置き換えた状態を示しているが、抽出された番組情報Ｉｐを羅列することもできる。
【００１３】
【特許文献１】
特開昭６３−１８１５７７号公報
【特許文献２】
特開昭６２−０６０３７７号公報
【特許文献３】
特開平０４−２１３９８４号公報
【特許文献４】
特開平１０−１６２０２５号公報
【特許文献５】
特開平１０−１６２０２８号公報
【００１４】
【発明が解決しようとする課題】
しかしながら、番組数が数百チャンネルにもなると、２次元ＥＰＧに基づいて逐次視聴しながら番組確認をしていたのでは、選局だけですら膨大な時間を要する。ましてや、ブロードバンドなどで、大量のコンテンツのオンデマンドサービスが行われるようになると、コンテンツを選択することですら容易でない。
また、ジャンル別に表示をするとしても、番組数が多ければやはり選局に時間がかかるし、他のジャンルにより興味のある番組がある場合には、それを見逃すことにもなる。
視聴者の嗜好に合わせた選局支援のための装置や方法は今後益々必要性が高まると考えられる。
【００１５】
ところが個々人の嗜好の程度という数値化しにくい尺度に基づいて、選局を支援すること事態が、そもそもが困難なことである。また、同じ個人であっても、嗜好の程度が段々変化したりする。このような同一個人の経時的変化に対応するには、視聴者に特別な入力操作を要求せざるを得ない。
【００１６】
よって、本願発明は番組と共に送信されてくる番組付加情報、視聴者の基本的な嗜好意思、および視聴者の視聴履歴を活用することにより、視聴者の最新の嗜好を分析し、多くの番組の中からその嗜好に合致する番組を抽出して、視聴者に提示することで、視聴者の番組選局を支援する方法および装置を提供するものである。
【００１７】
【課題を解決するための手段】
チャンネルと放送時間という２次元の枠組みで定められる番組情報を、放送番組情報の内容に基づいて、視聴者の嗜好の程度に対応した点数付けを行うことで、点数の順番という１次元の配列に置き換え、その点数が一定値以上であった番組を視聴者の好みの番組であると判断し、視聴者に提示する。
番組情報に含まれる番組情報パラメータ（出演者、ジャンル、放送日時等）に対して、視聴者がどの程度その番組情報パラメータを重視するかという重要度と、視聴履歴中の各番組パラメータにおいて、そのパラメータ要素に対するランキング順位を求め、選局対象になっている番組の番組パラメータに対する視聴者の重要度と、その番組に属する番組パラメータの構成要素のランキング順位から得られるランキングポイントとの互乗和を求めることで、視聴者の嗜好の程度に対応した点数を与え、所定の閾値との比較で視聴者の嗜好に合致したか否かを判断する。
【００１８】
【発明の実施の形態】
先ず、図１および図２を参照して、本発明にかかるコンテンツ選択支援システムを組み込んだ放送受信機について説明する。なお、本実施の形態における放送受信機のハードウェア的構成は、図１９を参照して詳述した放送受信機１９００と同じであるので説明を省く。
図１に示すように、本発明にかかる番組表管理部Ａｃｔは、図１９に示した番組表管理部Ａｐｔにおいて、番組表作成部２０３０が番組表作成部１３０に置き換えられると共に、番組抽出部２０１０が嗜好番組抽出部１１０に置き換えられて構成されている。よって、番組表管理部Ａｃｔに固有の特徴に重点を置いて説明すると共に、特に必要がない限り番組表管理部Ａｐｔと共通の特徴についての説明を省く。
【００１９】
なお、本明細書においては、放送受信機を例に説明するが、番組や番組情報の入手は得に放送に限定するものではなく、ブロードバンドなどの通信を通じて取得する場合にも本発明は適用できることは言うまでもない。すなわち、本発明では、ある特定の放送チャンネルで特定の放送時間に受信できるコンテンツを「番組」そしてその番組に関する情報を「番組情報」として説明するがこれらだけに限定されるものではない。従って、通信線若しくは通信波を通じて、予め決められた「チャンネル」や「放送時間」に拘束されることなく取得する「コンテンツ」、若しくは予め容量の大きな記録装置に記録された「コンテンツ」も本願の「番組」に含めることができる。そして、それらの番組に関する情報を番組情報とすることで、本願の選択支援を適用することができる。
【００２０】
嗜好番組抽出部１１０は、嗜好採点部１１２および嗜好判定部１１４を含む。嗜好採点部１１２には、記録装置１９２８の番組情報蓄積部２０４２に蓄積されている番組情報Ｉｐが入力される。そして、嗜好採点部１１２は、入力された個々の番組情報Ｉｐに対する視聴者の嗜好の程度を採点し、その点数となる番組嗜好度ＥＩＤを対応する番組情報Ｉｐに付与する。
嗜好判定部１１４は、嗜好採点部１１２から、個々の番組情報Ｉｐとその番組情報Ｉｐに対する番組嗜好度ＥＩＤとが一対となったデータを受け取る。嗜好判定部１１４には、内部に予め設定されている閾値ｄより番組嗜好度ＥＩＤの方が大きければ、視聴者の嗜好に合致する番組であると判定し、番組表作成部１３０へその番組情報Ｉｐと番組嗜好度ＥＩＤを通知する。または、抽出番組蓄積部２０４４に報Ｉｐと番組嗜好度ＥＩＤを記録させる。
【００２１】
図２を参照して、番組情報Ｉｐの流れという観点から上述の処理について説明する。符号２１１０は、上述の図２１に示した番組情報Ｉｐの集合であり、放送チャンネルを意味する縦軸と、放送時間を意味する横軸の２次元の並びで表される。番組情報Ｉｐの集合２１１０は、記録装置１９２８の番組情報蓄積部２０４２から読み出されて、嗜好番組抽出部１１０に入力される。
【００２２】
嗜好番組抽出部１１０の嗜好採点部１１２は、番組情報Ｉｐの集合２１１０に含まれる個々の番組情報に対して、番組嗜好度という点数を付与して順位付けする。符号２１２は、嗜好採点部１１２による順位付けを表している。
【００２３】
符号２１４は、その点数に従って番組情報の集合２１１０に含まれるすべての番組情報が１列に並べられた状態を示している。このように番組嗜好度という点数順に並べることで、放送チャンネルと放送時間という２次元の情報であった番組情報Ｉｐが、番組嗜好度順という１次元の情報に再編成される。
【００２４】
嗜好判定部１１４の閾値格納部２１６には、番組嗜好度に対する閾値ｄが設定されており、この閾値ｄを境にして番組が視聴者の嗜好に合致するか否かを判定する。視聴者の嗜好に合致すると判定された番組が、嗜好番組抽出部１１０による抽出対象として認定される。符号２１８は、このように抽出対象として認定された番組を示している。
【００２５】
符号２２０は嗜好番組抽出部１１０によって視聴者の嗜好に合致すると判断された番組情報Ｉｐを、再度、放送時間と放送チャンネルという２次元の情報に戻した状態を示している。斜線の部分が抽出された番組情報を示す。なお、この視聴者の嗜好に基づいて抽出された後の番組情報の集合２２０は、図２１に示した抽出後の番組集合と同様にみえるが、抽出された番組情報（斜線部）の抽出基準およびその過程が全く違うことは上述の通りである。つまり、嗜好番組抽出部１１０によって選別された結果はジャンルもキーワードも統一的ではないが、視聴者の嗜好に合致したという基準で抽出されている点が従来技術と大きく異なる点となる。
また、本実施の形態においては放送受信機を例にしているため、図２で示される放送時間と放送チャンネルという２次元で表される番組情報Ｉｐからの選局支援を例示して説明しているが、大容量の蓄積媒体に記録されたコンテンツだけからなる、若しくは放送時間と放送チャンネル以外の項目によって並べられた集合に対しても、それらコンテンツの内容に関する情報を番組情報とみなすことによって、視聴者の嗜好に合致したコンテンツの選択を支援することもできる。
【００２６】
次に図３、図４、図５、図６、図７、図８、図９、図１０、図１１、および図１２を参照して、嗜好番組抽出部１１０に含まれる嗜好採点部１１２の構成およびそれら構成要素の動作について説明する。
図３に示すように、嗜好採点部１１２は、番組嗜好度計算部３１０、ランキング表作成部３２０、視聴履歴蓄積部３２２、および個人評価基準部３３０を含む。視聴履歴蓄積部３２２は、視聴者の視聴した番組の番組情報Ｉｐを蓄積する。
【００２７】
次に、図４を参照して、番組情報に関する定義について説明する。任意の番組Ｐには、番組名、出演者名、番組のジャンル、放送チャンネル、および放送時間といった番組情報Ｉｐが番組の放送に先んじて、若しくは番組の放送と同時に付加情報として放送事業者から送信されてくる。この番組情報Ｉｐは、放送電波以外の取得手段、例えばインターネットや着脱可能な記憶媒体などを介して、入力されてもよい。
【００２８】
これらの番組情報Ｉｐを構成する事項を番組情報パラメータＰｉｐと呼ぶ。従って、番組名や、出演者名は番組情報パラメータＰｉｐである。次に番組情報パラメータＰｉｐの実体をパラメータ要素Ｅｐと呼ぶ。従って、出演者名「Ａ」や番組名「ナショナルショー」はそれぞれ出演者および番組名という番組情報パラメータＰｉｐに属するパラメータ要素Ｅｐである。
【００２９】
図３に戻って嗜好採点部１１２の動作について概略を説明する。嗜好採点部１１２には、番組情報蓄積部２０４２から番組情報Ｉｐが入力され、その番組情報Ｉｐｘに対して番組嗜好度ＥＩＤｘが計算され、番組情報Ｉｐとそれに対する番組嗜好度ＥＩＤが出力される。
次に嗜好採点部１１２を構成するランキング表作成部３２０、視聴履歴蓄積部３２２、番組嗜好度計算部３１０、および個人評価基準部３３０について、詳細に説明をする。
ランキング表作成部３２０は、視聴履歴蓄積部３２２に蓄積されている個々の番組情報Ｉｐの中から同一の番組情報パラメータＰｉｐについてパラメータ要素Ｅｐの集計を行い、そのランキング表ＴＲを作成する。すなわち、視聴者の視聴履歴を視聴者の嗜好度判断の材料の１つとする。
【００３０】
図５を参照して、このランキング表作成部３２０の動作について説明する。なお、説明の簡便化のために、番組情報Ｉｐの出演者Ｔ、ジャンルＧ、放送日時Ｂの３つの番組情報パラメータＰｉｐを用いて視聴者の番組嗜好度を求めるものとする。もちろん、これら以外の番組情報パラメータＰｉｐを用いてもよい。
番組情報Ｉｐは出演者Ｔ、ジャンルＧ、放送日時ＢからなるものとしてＩｐ（Ｔ、Ｇ、Ｂ）と表わされる。視聴履歴蓄積部３２２にはｎ（ｎは自然数）個の番組があったとする。Ｐ、Ｔ、Ｇ、Ｂの後ろに番組毎のパラメータであることを区別するために数字を付ける。
【００３１】
図５（ａ）に示すように、視聴履歴蓄積部３２２にはＩｐ１（Ｔ１、Ｇ１、Ｂ１）、Ｉｐ２（Ｔ２、Ｇ２、Ｂ２）、・・・Ｉｐｎ（Ｔｎ、Ｇｎ、Ｂｎ）のｎ個の番組情報がある。なお、図４で例示したように、出演者Ｔなる番組情報パラメータＰｉｐには、複数のパラメータ要素Ｅｐである出演者（例えば「Ａ」、「Ｂ」等）が含まれていても構わない。
ランキング表作成部３２０は、この中で出演者Ｔという番組情報パラメータＰｉｐだけを抜き取り、その中のパラメータ要素Ｅｐの重複度合いを計算する。すなわち、Ｔ１からＴｎまでの中で、「Ｔａ」という出演者の出現回数が最も多いとするとこの「Ｔａ」という出演者のランキングを１位とする。
【００３２】
図５（ｂ）に、上述の出現回数を集計した結果であるランキング表ＴＲの例を示す。同図においては、他の番組情報パラメータＰｉｐであるジャンルＧや放送時間帯Ｂについても同様にランキング表ＴＲに掲載された状態を示している。便宜上１位に「ａ」、２位に「ｂ」等の文字を接尾辞として附加しているが、「Ｔａ」と「Ｇａ」は必ずしも同じ番組情報Ｉｐを構成するパラメータ要素Ｅｐであるとは限らない。具体的には、「Ｔａ」は「Ｔ３」であり、「Ｇａ」は「Ｇ６」であることがあり得る。
【００３３】
ランキング表作成部３２０は、このように生成されたランキング表ＴＲに基づいてランキングポイントＲＰを付与する。ランキングポイントＲＰとは、ランキングの１位には９ポイント、２位には８ポイント、・・・１０位は０（ゼロ）ポイント、それ以下はマイナス１ポイントといったように付与する。このパラメータ要素ＥｐとランキングポイントＲＰの関係を示すのがランキング表ＴＲであり、ランキング表作成部３２０はこのランキング表ＴＲを作成する。
【００３４】
このように、ランキング表ＴＲは、視聴者が過去に視聴した番組の番組情報パラメータＰｉｐ毎に、視聴者が番組を見た頻度に応じて、番組パラメータ要素Ｅｐに対して順位付けがされ、その順位に応じてポイントが付与された関係を示すものである。なお、本実施の形態においては、順位付けたパラメータ要素ＥｐにランキングポイントＲＰとして９点等が与えられているが、特にこの「９」に限定されるものではなく、適宜設計的に変更して構わない。
【００３５】
このランキング表ＴＲは、視聴履歴蓄積部３２２に一定期間に渡って蓄積されたｎ個の番組情報Ｉｐに基づいて求められる。例えば、最新の１週間における視聴履歴の如くである。従って、期間を適宜決めることで視聴者が遠い昔に視聴した番組の視聴履歴が、視聴者の嗜好度の判断に与える影響を調整することができる。そして、視聴者の嗜好が徐々に変化すると、そのような変化がランキング表ＴＲに反映される。つまり、視聴者の嗜好評価であるランキング表ＴＲの内容を、視聴者の嗜好の変化に追従することができる。放送受信機１９００としては、ランキング表ＴＲの更新という形で上記の動作が行なわれる。
【００３６】
図６に示すフローチャートを参照して、ランキング表作成部３２０が行うランキング表ＴＲの更新動作について説明する。ランキング表ＴＲの更新は、放送受信機全体を制御する機器からの要求があった場合、視聴者の要求があった場合などに行われる。ランキング表更新のルーチンが開始されると、先ず、
ステップＳ６１２において、視聴履歴からｎ個の番組情報Ｉｐが抽出される。これは、上述の如く、視聴履歴蓄積部３２２に一定期間内に蓄積された番組情報Ｉｐをｎ個取得することである。そして、制御は次のステップＳ６１４に進む。
【００３７】
ステップＳ６１４において、特定の番組情報パラメータＰｉｐが抽出される。例えば番組情報Ｉｐ１から番組情報Ｉｐｎの出演者Ｔという番組情報パラメータＰｉｐが抽出される。そして、制御は次のステップＳ６１６に進む。
【００３８】
ステップＳ６１６において、番組情報パラメータＰｉｐを構成する集合中のあるパラメータ要素Ｅｐの数、例えば出演者Ｔ１の出現回数が調べられる。そして、制御は次のステップＳ６１８に進む。
【００３９】
ステップＳ６１８において、上述のステップＳ６１６におけるパラメータ要素Ｅｐの出現回数の積算結果がランキング表ＴＲに掲載される。ランキング表ＴＲに、前回の調査に基づくパラメータ要素Ｅｐが掲載されている場合は、前回のパラメータ要素Ｅｐの出現回数と、今回のパラメータ要素Ｅｐの出現回数とが比較される。そして、前回のパラメータ要素Ｅｐと今回のパラメータ要素Ｅｐのすべてが出現回数順に並び替えられた状態で、ランキング表ＴＲが再作成される。そして、制御は次のステップＳ６２０に進む。
【００４０】
ステップＳ６２０において、すべてのパラメータ要素Ｅｐについてカウント（おけるステップＳ６１６）されたか否かが判断される。まだカウントしていないパラメータ要素Ｅｐがある場合は、制御は上述のステップＳ６１６に戻ってカウントを繰り返す。そして、すべてのパラメータ要素Ｅｐがカウントされた時点で、Ｙｅｓと判断されて、制御は次のステップＳ６２２に進む。
【００４１】
ステップＳ６２２において、すべて番組情報パラメータＰｉｐに関するランキング表ＴＲの更新が完了したか否が判断される。完了していない場合、制御はステップＳ６１４に戻って特定の番組情報パラメータＰｉｐの抽出が継続される。本実施の形態においては、出演者Ｔ、ジャンルＧ、および放送時間Ｂについて更新が完了するまでステップＳ６１４からステップＳ６２２における処理が繰り返される。そして、完了した時点で、ランキング表ＴＲの更新が終了する。
【００４２】
次に図３に示した個人評価基準部３３０の動作について説明する。個人評価基準部３３０には、番組嗜好度を判断するための番組情報パラメータＰｉｐに対する、視聴者個人の興味の程度が予め入力される。例えば、出演者Ｔに関しては６０％、ジャンルＧに関しては１０％、放送時間帯Ｂについては３０％の如くである。これは、視聴者が番組情報パラメータＰｉｐのどの項目をどの程度重要視しているかという程度を表す割合である。
【００４３】
しかし、視聴者自身も各番組情報パラメータＰｉｐの各項目に対してどの程度自分が重きを置いているかを判断しかねる場合も多い。そこで、本発明においては、個人評価基準部３３０は以下に示すような方法で各視聴者の各番組情報パラメータＰｉｐの各項目に対する思いを数値化する。この方法は一対比較と呼ばれ、３つ以上の複数の事項（項目）それぞれの重要度を数値化するための手法である。一度に、事項（項目）毎の重要性のパーセンテージを決めることができない場合に、その複数の事項（項目）を２つづつ取り出して比較を行うことで、全部の事項の重要度を数値化するものである。
【００４４】
本実施の形態においては、３つのある番組情報パラメータＰｉｐから２つを取り出し、それらを比較して、「同じくらい」、「若干重要」、「重要」、「かなり重要」、「絶対的に重要」と分ける。そして、それぞれに１、３、５、７、９点といったように一対比較値ＶＣを決める。
【００４５】
図７に、上述の如く決められた、視聴者の感じる「程度」と一対比較値ＶＣの関係を示す。例えば、番組情報パラメータＰｉｐの項目の２つである出演者ＴとジャンルＧを左から順に並べ、図７に示す一対比較値表ＴＣから一対比較値ＶＣを選択する。一対比較値表ＴＣに関して、「前」は２つ並べられた番組情報パラメータＰｉｐの左側を指すものとする。
【００４６】
例えば出演者ＴとジャンルＧでは、出演者Ｔの番組情報パラメータＰｉｐの方が重要であり、しかもかなり重要と考える場合には、一対比較値ＶＣとしては７が得られる。反対にジャンルＧの方が重要であり出演者Ｔは若干程度の重要さならば、一対比較値ＶＣを１／３とする。これは、前者（出演者Ｔ）の方が後者（ジャンルＧ）より若干重要という判断に対しては一対比較値ＶＣを３にしているので、判断が逆の場合は、一対比較値ＶＣを逆数として得るものである。
【００４７】
図７に示す例にでは、一対比較値ＶＣの値として、１、３、５、７、および９などの数字が用いられているが、設計によって値を変更したり、図７に示す数字の間を補完するために偶数の数字を用いても構わない。
このようにして出演者ＴとジャンルＧ、ジャンルＧと放送時間帯Ｂ、および放送時間帯Ｂと出演者Ｔとの間で視聴者が比較を行うことで、一対比較値ＶＣが得られる。
【００４８】
図８に、上述の如く得られた一対比較値ＶＣを表として示す。同図において、縦軸は一対比較の前者を示し、横軸は一対比較の後者を示す。縦軸の出演者Ｔと横軸の出演者Ｔは同じ番組情報パラメータＰｉｐを比較しているので、一対比較値ＶＣは「同じくらい」を表す１が設定される。縦軸のジャンルＧと横軸のジャンルＧの部分、および縦軸の放送時間帯Ｂと横軸の放送時間帯Ｂの部分にも同じく１が設定される。
【００４９】
縦軸の出演者Ｔと横軸のジャンルＧの部分には、それぞれをこの順で比較したときの一対比較値ＶＣとしてαが設定される。また縦軸のジャンルＧと横軸の放送時間帯Ｂの部分にはそれぞれをこの順で比較したときの一対比較値ＶＣとしてβが設定される。同様に縦軸の放送時間帯Ｂと横軸の出演者Ｔの部分にはこの順で比較したときの一対比較値ＶＣとしてγが設定される。以上のα、β、γは、視聴者自身の入力により、一対比較値表ＴＣに基づいて設定される。
【００５０】
残りの部分にはちょうど対角要素の逆数が、図示の毎の１／α、１／β、１／γがそれぞれ設定される。これは、縦軸の出演者Ｔと横軸のジャンルＧの部分の一対比較値ＶＣがαであるときに、縦軸のジャンルＧと横軸の出演者Ｔをこの順で比較すれば、逆の答えになるからである。横軸毎に図に示す計算によって幾何平均値（相乗平均値）を求める。そして、それぞれの幾何平均値の総和ＳＵＭに対する割合を、視聴者の番組情報パラメータＰｉｐに対するＰＩＰ重要度ｗであるとする。総和ＳＵＭは（式１）で表される。ここでは、出演者Ｔ、ジャンルＧ、および放送時間帯ＢのそれぞれのＰＩＰ重要度ｗをｔｗ、ｇｗ、およびｂｗとする。結果、ｔｗ、ｇｗ、ｂｗはそれぞれ以下に示す（式２）、（式３）、および（式４）で表される。これらの式から明らかなようにｔｗ、ｇｗ、およびｂｗの総和は常に１となる。
【００５１】
【数１】
2004104408.tif 000003
【００５２】
【数２】
2004104408.tif 000004
【００５３】
【数３】
2004104408.tif 000005
【００５４】
【数４】
2004104408.tif 000006
【００５５】
このように、３つ以上の番組情報パラメータＰｉｐに対して、一対比較表ＴＣを用意し、番組情報蓄積部２０４２に蓄積されている番組情報パラメータＰｉｐから任意の２つの番組情報パラメータＰｉｐを順次取り出しては比較する。そして、その比較に対して一対比較値ＶＣを決め、所定の計算をすることで、視聴者はすべての番組情報パラメータＰｉｐに対する重要度の割合配分を意識することなく、それぞれの番組情報パラメータＰｉｐの各項目に対してＰＩＰ重要度ｗを割り当てることができる。
【００５６】
図９に示すフローチャートを参照して、個人評価基準部の基準設定動作について説明する。個人評価基準部の基準設定動作は、放送受信装置にまだ個人評価基準が設定されていない場合や、視聴者による入力器からの指示によって起動する
【００５７】
先ず、ステップＳ９１２において、カウンターの変数ｉが初期化される。本例においては、変数ｉは１に設定される。そして、制御は次のステップＳ９１４に進む。
【００５８】
ステップＳ９１４において、視聴者の嗜好を判断するために用いる番組情報パラメータＰｉｐ（ｉ）およびＰｉｐ（ｉ＋１）の２つが表示されると共に、これら２つの番組情報パラメータＰｉｐに対する視聴者による好みの程度の入力が促される。ここでは、出演者Ｔ、ジャンルＧ、および放送時間帯Ｂの３つの番組情報パラメータを用いて説明したが、どの番組情報パラメータＰｉｐを嗜好判断のために用いるかは、予め製造者が決めておくか、若しくは視聴者が選択できるようにしてもよい。
そして、制御は次のステップＳ９１６に進む。
【００５９】
ステップＳ９１６において、上述のステップＳ９１４において表示された番組情報パラメータＰｉｐに対して視聴者が好みの程度を入力したか否かが判断される。視聴者が好みの程度を入力した時点で、制御は次のステップＳ９１８に進む。
【００６０】
ステップＳ９１８において、変数ｉが１だけインクリメントされる。そして、制御は次のステップＳ９２０に進む。
【００６１】
ステップＳ９２０において、変数ｉの値がｎと同じか否かが判断される。つまり、ｎ個の番組情報パラメータＰｉｐに対して、１つ前の番組情報パラメータとの間で一対比較がなされたか否かが判断される。変数ｉがｎでない、つまり変数ｉがｎより小さい場合には、制御は上述のステップＳ９１４に戻り、番組情報パラメータＰｉｐの表示（Ｓ９１４）、視聴者の一対比較による好み程度入力（Ｓ９１６）という手続きが繰り返される。　最後（ｎ番目）の番組情報パラメータＰｉｐまで一対比較が終了したら、制御は次のステップＳ９２２に進む。
【００６２】
ステップＳ９２２において、最後の番組情報パラメータＰｉｐ（ｎ）と最初の番組情報パラメータＰｉｐ（１）が表示されると共に、これら２つの番組情報パラメータＰｉｐの各項目に対する視聴者による好みの程度の入力が促される。そして、制御は次のステップＳ９２４に進む。
【００６３】
ステップＳ９２４において、視聴者による好みの程度の入力がなされたか否かが判断される。これは、上述のステップＳ９１４においては、連続する２つの番組情報パラメータＰｉｐ（ｉ）とＰｉｐ（ｉ＋１）を比較しているので、最後の番組情報パラメータＰｉｐ（ｎ）と最初の番組情報パラメータＰｉｐ（１）との比較は行えていないからである。そして、ステップＳ９２４における視聴者による好みの程度の入力が完了した時点で、制御は次のステップＳ９２６に進む。
【００６４】
ステップＳ９２６において、図８に例示した一対比較値表ＴＣに一対比較値ＶＣを書き込まれると共に、ＰＩＰ重要度ｗが算出される。
【００６５】
図１０に、ステップＳ９１４やステップＳ９２２における処理である一対比較の設定画面を例示する。符号１０１０、１０２０、１０３０、１０４１、１０４２、１０４３、１０４４、および１０４５はそれぞれ、一対比較設定画面ＭＣにおける入力窓或いは表示窓を示している。
【００６６】
具体的には、表示窓１０１０には、一対比較を行う番組情報パラメータＰｉｐの前者が表示され、表示窓１０２０には番組情報パラメータＰｉｐの後者が表示される。この状態で、後者に対して前者のＰＩＰ重要度ｗの程度を入力窓１０４１〜１０４５のそれぞれ提示されている「同じ」、「若干重要」、「重要」、および「かなり重要」の何れかを選択することにより「好みの程度」を入力して、一対比較を行う。
【００６７】
なお、視聴者の入力のし易しさを考慮して、入力窓１０３０には、「前者」若しくは「後者」の何れかを選択して表示させることができるようにしている。これは、視聴者が後者の方が前者よりＰＩＰ重要度ｗが高いと感じたときは、入力窓１０３０に「後者」を入力し、それに対して入力窓１０４１〜１０４５に提示されている「好みの程度」を選択した方が分かり易いからである。この場合は集計の際に一対比較値ＶＣの逆数を、前者の後者に対する一対比較値ＶＣとすればよい。
【００６８】
また、この入力画面を入力し終わったら、前者の欄の表示窓１０１０の表示は「出演者」から「ジャンル」に変更される。同様に、後者の表示窓１０２０の表示は「ジャンル」から「放送時間」に変更される。
【００６９】
図３に戻って、引き続き、嗜好採点部１１２の動作について説明する。上述の如く、ランキング表作成部３２０からは、番組情報パラメータＰｉｐのパラメータ要素Ｅｐに関するランキングとそれに付与されるランキングポイントＲＰの関係を示すランキング表ＴＲが番組嗜好度計算部３１０へ送られる。
【００７０】
また、個人評価基準部３３０からは、視聴者が各番組情報パラメータＰｉｐをどの程度重要視しているかを示すＰＩＰ重要度ｗが番組嗜好度計算部３１０へ送られる。番組嗜好度計算部３１０は、これらのデータと、番組情報蓄積部２０４２に記録されている番組情報Ｉｐに基づき、評価対象とする番組の嗜好度ＥＩＤを計算する。
【００７１】
図１１に、番組嗜好度計算部３１０が行う計算の様子を番組情報Ｉｐｘ（ｘはｎ以下の自然数）のデータの流れに基づいて示す。番組情報Ｉｐｘはｎ個ある番組情報の中の特定の１つの番組情報であることを表すために「ｘ」を付けて表す。Ｉｐｘの番組情報パラメータにも同じく「ｘ」を付けて表す。従って、番組情報ＩｐｘはＩｐｘ（Ｔｘ、Ｇｘ，Ｂｘ）と表される。なお、特に個々の番組情報を区別する必要がない場合は、「ｘ」は省略される。番組情報Ｉｐｘは出演者Ｔｘ、ジャンルＧｘ、放送時間Ｂｘを含む。このＴｘ、Ｇｘ、およびＢｘについて、ランキング表作成部３２０から受け取ったランキング表ＴＲに基づいてそれぞれのランキングポイントＲＰを求める。
【００７２】
例えば、出演者Ｔｘがランキング表ＴＲで第２位であれば、出演者Ｔｘという番組情報パラメータＰｉｐにおけるこの番組ＰｘのランキングポイントＲＰｔｘは８点である。同様にジャンルＧｘおよび放送時間帯Ｂｘについても、ランキング表ＴＲに基づき、それぞれの番組情報パラメータＰｉｐにおけるランキングポイントＲＰｇｘおよびＢＰｂｘを求める。
【００７３】
番組嗜好度計算部３１０はこれらのランキングポイントＲＰと、個人評価基準部３３０から得たＰＩＰ重要度ｗを番組情報パラメータＰｉｐ毎に乗算し、さらにそれらを加算することで、次式５に基づき、この番組情報Ｉｐｘの嗜好度ＥＩＤｘが得られる。
【００７４】
【数５】
2004104408.tif 000007
【００７５】
図１２を参照して、番組嗜好度計算部３１０による番組嗜好度計算動作について説明する。本例において、番組嗜好度計算は、視聴者が嗜好番組の表示を要求した際に実行される。また、放送受信機１９００の制御部１９５０が予め嗜好番組を抽出番組蓄積部２０４４へ記録しておく場合にも、番組嗜好度計算が実行される。しかし、これらのときに限定されるものではなく、設計によっていつ実行されてもよい。
【００７６】
まず、ステップＳ１２１２において、番組嗜好度計算部３１０によって、ランキング表ＴＲがランキング表作成部３２０から取得される。そして、この取得要求のある毎に、図６に示したランキング表ＴＲの更新を行うか、一定期間は同じランキング表ＴＲを使うのかは適宜決めることができる。そして、制御は次のステップＳ１２１４に進む。
【００７７】
ステップＳ１２１４において、個人評価基準部３３０からＰＩＰ重要度を入手する（Ｓ１２１４）。この場合も図９に示した基準設定の手順をいつ行うかは適宜決めることができる。
【００７８】
ステップＳ１２１６において、番組情報蓄積部２０４２から番組情報Ｉｐｘを受け取る。そして、制御は次のステップＳ１２１８に進む。
【００７９】
ステップＳ１２１８において、番組情報Ｉｐｘの番組情報パラメータＰｉｐの構成要素であるパラメータ要素Ｅｐについて、番組情報パラメータ毎にランキング表ＴＲと対比することで、ランキングポイントＲＰが求められる。そして、制御は次のステップＳ１２２０に進む。
【００８０】
ステップＳ１２２０において、上記の（式５）に従って、番組嗜好度ＥＩＤｘが算出される。そして、制御は次のステップＳ１２２２に進む。
【００８１】
ステップＳ１２２２において、嗜好採点部１１２から嗜好判定部１１４に、番組情報Ｉｐｘとその番組嗜好度ＥＩＤｘを対にして送られる。そして、制御は次のステップＳ１２２４に進む。
【００８２】
ステップＳ１２２４において、番組情報蓄積部２０４２に記録された番組情報Ｉｐをすべて評価し終わったか否かが判断される。具体的には、番組情報Ｉｐｎまで計算し終わったか否かを判断する。まだ残っている場合には、制御は上述のステップＳ１２１４へ戻る。残っていなければ、制御は終了する。
【００８３】
なお、番組情報蓄積部２０４２に記録されているすべての情報を、嗜好番組か否かの判断の対象とするかどうかに付けいては、適宜決めて構わない。
このようにして、視聴者の過去の視聴履歴と番組情報パラメータＰｉｐに対する個人の嗜好の基準を基に、番組情報蓄積部２０４２に記録された番組情報Ｉｐに対して、嗜好度ＥＩＤという点数が付与される。
【００８４】
以上、図３〜図１２を参照して、嗜好採点部１１２の構成および動作について説明したように、番組嗜好度計算部３１０は、ある番組の番組情報Ｉｐｘと嗜好度ＥＩＤｘを対にして出力する。つまり、嗜好採点部１１２から、これらの対のデータが出力される。
【００８５】
次に図１３〜図１６を参照して、嗜好番組抽出部１１０を構成する、嗜好判断部１１４の構成および動作について説明する。
図１３に、嗜好判定部１１４の構成を示す。嗜好判定部１１４は、条件付データ転送部１３１０および閾値保持部１３２０を含む。閾値保持部１３２０には、予め設定された閾値ｄが保持されている。条件付データ転送部１３１０には、嗜好採点部１１２より番組嗜好度ＥＩＤを与えられた番組情報Ｉｐが入力される。
【００８６】
条件付データ転送部１３１０は、入力された番組嗜好度ＥＩＤと閾値ｄを比較して、嗜好度ＥＩＤが閾値ｄ以上であればその番組情報Ｉｐを番組表作成部１３０へ転送する。若しくは、抽出番組蓄積部２０４４へ蓄積する。すなわち、嗜好度ＥＩＤが閾値ｄより等しい若しくは大きければその番組は視聴者の嗜好に合致した番組であると判断する。
【００８７】
図１４に示すフローチャートを参照して、嗜好判定部１１４による視聴者の番組に対する嗜好の程度の判定動作について説明する。本判定動作は、嗜好採点部１１２と連動するものであるので、嗜好採点部１１２の動作に伴って動作するものとしてよい。
【００８８】
まず、ステップＳ１４１２において、条件付データ転送部１３１０が閾値保持部１３２０から閾値ｄを取得する。そして、制御は次のステップＳ１４１４に進む。
【００８９】
ステップＳ１４１４において、条件付データ転送部１３１０に入力があるか否かが判断される。入力があった場合には、ステップＳ１４１６において入力された番組情報Ｉｐに対になっている番組嗜好度ＥＩＤが閾値ｄ以上であるか否かが判断される。番組嗜好度ＥＩＤｘが閾値ｄより小さければ、制御は上述のステップＳ１４１４に戻る。番組嗜好度ＥＩＤが閾値ｄ以上であれば、制御はステップＳ１４１８に進む。
【００９０】
ステップＳ１４１８において、この番組情報Ｉｐと番組嗜好度ＥＩＤの対を、番組表作成部１３０或いは抽出番組蓄積部２０４４の何れかに出力する。　つまり、ステップＳ１４１６で番組嗜好度ＥＩＤが閾値ｄより大きくなければ、入力された番組情報Ｉｐと番組嗜好度ＥＩＤｘのデータは、嗜好判定部１１４の出力とならず、捨てられる。そして、制御は次のステップＳ１４２０に進む。
【００９１】
ステップＳ１４２０においては、嗜好採点部１１２からの信号に基づき、嗜好判断部１１４への入力が終了したか否かが判断される。終了してなければ、制御はステップＳ１４１４に戻る。一方、終了している場合には、制御は終了される。
【００９２】
図１５に、閾値ｄを設定する際の入力画面Ｍｄの一例を示す。これは本発明の放送受信機１９００を購入した際、新たな利用者を設定する際、若しくは閾値ｄを再度設定しなおす場合などに、受信装置自体または視聴者の意思に基づいて行われる。
例えば本実施の例で見ると、（式５）で与えられる番組嗜好度ＥＩＤは、出演者、ジャンル、放送時間帯のランキングポイントであるＲＰｔ、ＲＰｇ、およびＲＰｂの最大値が９であり、ｔｗ、ｇｗ、およびｂｗの総和が１．０であるので、その最大値は９となる。従って視聴者は閾値ｄとして、９以下の実数を設定窓１５１０に入力器１９２６を介して入力する。
また、番組嗜好度ＥＩＤの最大値を１００％と考え、閾値ｄをパーセンテージで入力させてもよい。この場合入力がＸ％であったとすると、閾値として設定されるのは、番組嗜好度ＥＩＤ最大値にＸ％を乗じた値となる。
【００９３】
図１６に示すフローチャートを参照して、閾値ｄの設定手順について説明する。本例においては、閾値が設定されていないとき、若しくは視聴者の指示によって、閾値ｄの設定手順は開始する。
【００９４】
ステップＳ１６１２において、図１５で示した入力画面Ｍｄが表示される。そして、制御は次のステップＳ１６１４に進む。
【００９５】
ステップＳ１６１４においては、視聴者の閾値ｄの入力待ちを行われる。そして、入力があれば、制御は次のステップＳ１６１６に進む。
【００９６】
ステップＳ１６１６において、閾値ｄが嗜好判断部１１４の閾値保持部１３２０に設定される。そして制御は終了する。
【００９７】
図１７に示すフローチャートを参照して、上述の説明を踏まえて、本発明の実施の形態にかかる放送受信機１９００が、視聴者の嗜好に合致した番組の提示動作について説明する。視聴者の指示により、番組提示動作は開始する。なお、番組提示動作は、番組表作成部１３０の手続きの一部としてもよいし、番組表の作成とは独立した動作としてもよい。
【００９８】
ステップＳ１７１２では、評価基準値が設定されているか否かが判断される。評価基準値が設定がされていない、若しくは視聴者がその変更を希望している場合、制御は次のステップＳ１７１４に進む。
【００９９】
ステップＳ１４１７において、評価基準値の設定が実施される。なお、本ステップにおける処理は、既に図９を参照して説明したステップＳ９１２〜Ｓ９２６に於ける処理と同じである。そして、制御は次のステップＳ１７１６に進む。
【０１００】
一方、ステップＳ１７１２において、評価基準値が設定されていない、または視聴者がその変更を希望していないと判断される場合、制御は上述のステップＳ１４１７をスキップして、ステップＳ１７１６に進む。
【０１０１】
ステップＳ１７１６においては、閾値ｄが設定されているか否かに付けいて判断される。閾値ｄが設定されていない、若しくは視聴者がその変更を希望している場合は、制御は次のステップＳ１７１８に進む。
【０１０２】
ステップＳ１７１８において、閾値ｄが設定される。なお、本ステップにおける処理は、既に図１６を参照して説明したステップＳ１６１２〜Ｓ１６１２に於ける処理と同じである。そして制御は次のステップＳ１７２０に進む。
【０１０３】
ステップＳ１７２０においては、ランキング表ＴＲが設定若しくは更新が必要か否かが判断される。ランキング表ＴＲの設定若しくは更新がされていない、若しくは視聴者がその更新を希望している場合、制御は次のステップＳ１７２２に進む。
【０１０４】
ステップＳ１７２２において、ランキング表ＴＲが更新される。なお、本ステップにおける処理は、既に図６を参照して説明したステップＳ６１２〜Ｓ６２２における処理と同じである。そして、制御は次のステップＳ１７２４に進む。
【０１０５】
上述のステップＳ１７２０において、ランキング表ＴＲが設定若しくは更新が不要であると判断される場合、制御は上述のステップＳ１７２２をスキップして、ステップＳ１７２４に進む。
【０１０６】
ステップＳ１７２４において、上述のステップＳ１７１４で取得した視聴者の主観で決める評価基準と、上述のステップＳ１７２２で所得した視聴履歴に基づいて作成されるランキング表ＴＲと、上述のステップＳ１７１８で取得した番組嗜好度ＥＩＤがいくらの値以上なら嗜好に合致したと判断させるかを決める閾値ｄに基づいて、番組情報蓄積部に記録してある番組情報Ｉｐについて番組嗜好度ＥＩＤが算出される。なお、本ステップに於ける処理は、既に図１２を参照して説明したステップＳ１２１２〜Ｓ１２２４における処理と同じである。そして、制御は次のステップＳ１７２６に進む。
【０１０７】
ステップＳ１７２６において、番組嗜好度ＥＩＤと閾値ｄを比較して著者の嗜好に合致しているか否かが判断されて、出力（若しくは抽出番組蓄積部に記録）するか否かが決定される。本ステップにおける処理は、既に図１４を参照して説明したステップＳ１４１２〜Ｓ１２２４における処理と同じである。そして、処理は、次のステップＳ１７２８に進む。
【０１０８】
ステップＳ１７２８において、ステップＳ１７２６における決定結果が表示器１９２２に表示される。図１に示した構成図では、嗜好番組抽出部１１０からの出力を受けて、番組表作成部１３０が表示制御器１９２０を介して表示器１９２２に結果を表示する。若しくは、番組表作成部１３０が、嗜好番組抽出部１１の抽出終了の合図によって、抽出番組蓄積部２０４４の内容を表示することとなる。しかし、嗜好番組抽出部１１０が結果を表示するような構成にしてもよいことは言うまでもない。表示が終了したところで、嗜好番組の提示は終了する。
【０１０９】
この後、提示された嗜好番組について、放送時間と放送チャンネルの２つの次元で整理し再表示したり、ジャンルに基づいて若しくは番組名や出演者について検索したり、並び替えを行ったり、他の情報と合成し表示したり、番組予約や録画予約若しくは選局といった動作に移行するように設計できることは言うまでもない。
【０１１０】
図１８に、視聴者の嗜好に合致した番組の提示をする例を示す。これらは、蓄積部に記録された番組情報Ｉｐの中から嗜好度の高いもの順に表示させた例である。それぞれの番組には番組名、放送日時、放送チャンネルと共に、視聴者の嗜好度を表す欄がある。視聴者はこの値によって、自分の嗜好度が本発明の受信装置によって判断されたことを知る。また、閾値ｄについての情報を掲載しておくことで、視聴者が嗜好度の範囲を自覚することができ、閾値変更の目安となる。
【０１１１】
【発明の効果】
本発明にかかる放送受信機によれば、視聴者の視聴履歴と番組パラメータに対する重要度から、番組情報に対して嗜好度という点数付けを行なうことで、デジタル放送等による非常に多くの番組の中から視聴者の嗜好に近い番組を選択表示することができ、視聴者の選局若しくは選択行為を支援することができる。
【図面の簡単な説明】
【図１】本発明にかかるコンテンツ選択支援システムにおける番組表管理部のソフトウェア的な構成を示す図である。
【図２】図１に示した番組表管理部の動作を番組情報の流れの観点から示す説明図である。
【図３】図１に示した嗜好採点部の構成を示すブロック図である。
【図４】本発明にかかる番組情報の構成を示す図である。
【図５】本発明にかかるランキング表の生成の説明図である。
【図６】本発明にかかるランキング表の更新動作を示すフローチャートである。
【図７】本発明にかかる一対比較値表の説明図である。
【図８】本発明における、一対比較の結果から番組パラメータの幾何平均を求める手続きの説明図である。
【図９】本発明にかかる基準設定手続動作を示すフローチャートである。
【図１０】本発明にかかる一対比較による視聴者の基準設定画面の一例を示す図である。
【図１１】本発明にかかる番組嗜好度を求める処理の流れを示す図である。
【図１２】本発明にかかる番組嗜好度算出動作を示すフローチャートである。
【図１３】図１に示した嗜好判定部の構成を示すブロック図である。
【図１４】本発明にかかる嗜好判定動作を示すフローチャートである。
【図１５】本発明にかかる閾値設定画面の一例を示す図である。
【図１６】本発明にかかる閾値設定動作を示すフローチャートである。
【図１７】本発明にかかる嗜好番組抽出動作を示すフローチャートである。
【図１８】本発明にかかる嗜好番組提示画面の一例を示す図である。
【図１９】従来の放送受信機のハードウェア構成を示すブロック図である。
【図２０】従来の番組抽出装置の構成を示すブロック図である。
【図２１】従来の番組抽出動作の説明図である。
【符号の説明】
１１０　番組抽出手段
１１２　嗜好採点手段
１１４　嗜好判定手段
３１０　番組嗜好度計算部
３２０　ランキング表作成部
３２２　視聴履歴蓄積部
３３０　個人評価基準部
１３１０　条件付データ転送部
１３２０　閾値保持部
【図１】
2004104408.tif 000008
【図２】
2004104408.tif 000009
【図３】
2004104408.tif 000010
【図４】
2004104408.tif 000011
【図５】
2004104408.tif 000012
【図６】
2004104408.tif 000013
【図７】
2004104408.tif 000014
【図８】
2004104408.tif 000015
【図９】
2004104408.tif 000016
【図１０】
2004104408.tif 000017
【図１１】
2004104408.tif 000018
【図１２】
2004104408.tif 000019
【図１３】
2004104408.tif 000020
【図１４】
2004104408.tif 000021
【図１５】
2004104408.tif 000022
【図１６】
2004104408.tif 000023
【図１７】
2004104408.tif 000024
【図１８】
2004104408.tif 000025
【図１９】
2004104408.tif 000026
【図２０】
2004104408.tif 000027
【図２１】
2004104408.tif 000028